【事件の表示】
　特許第３３７５６１７号「養殖帆立貝の掛止具」の請求項１ないし９に係る特許に対する特許異議の申立てについて、次のとおり決定する。
【結　論】
　訂正を認める。
　特許第３３７５６１７号の請求項１ないし２に係る特許を維持する。
【理　由】
１．手続の経緯
　本件特許第３３７５６１７号の請求項１ないし９に係る発明についての出願は、平成９年１月９日（優先権主張　平成８年１０月１１日）に特許出願された特願平９−２４５９号の一部を、平成１３年９月２５日に新たな特許出願とし、平成１４年１１月２９日にその発明について特許権の設定登録がなされた後、その特許について、平成１５年４月２８日に特許異議の申立てがなされ、取り消し理由を通知したところ、平成１６年３月１０日に特許権者から特許異議意見書と共に訂正請求書が提出され、平成１６年４月１９日に異議申立人より上申書が提出されたものである
　
２．訂正請求について
２-1．訂正の内容
　特許権者が求めている訂正の内容は、特許明細書を訂正請求書に添付した明細書のとおりに訂正しようとするものであり、具体的訂正事項は次のとおりである（下線部は訂正個所である）。
（１）訂正事項ａ
　特許明細書の特許請求の範囲に記載された【請求項１】及び【請求項２】を削除する。
（２）訂正事項ｂ
　特許明細書の特許請求の範囲に記載された「【請求項３】樹脂で形成された棒状の軸部の先部に、尖鋭な先部挿入部及び抜け止め部を備え、該軸部の後部には尖鋭な後部挿入部及び抜け止め部を備える養殖帆立貝の掛止具であって、前記掛止具単体の軸部の中間部周に、軸方向に離間してロープの抜け止め部を径方向外方に一対突設し、前記掛止具単体を、該掛止具単体の軸部が平行するように多数並設し、前記抜け止め部を隣接する掛止具単体の軸部周に連結し、多数の掛止具単体を該抜け止め部を介して相互に連結し、該抜け止め部で該掛止具単体と一体で容易に撓曲する可撓性連結部を構成し、前記多数の掛止具単体を前記可撓性連結部を構成する抜け止め部により帯状に連結した、ことを特徴とする養殖帆立貝の掛止具。」を、
　「【請求項
１
可撓性
（３）
（４）
を構成する規制片（４ａ）
（３）
（６）
構成する規制片（６ａ）を備え、軸部（３）
（１８），（１９）
た養殖帆立貝の掛止具において、
（２）
（２）
（３）
　前記
ロープの
（１８），（１９）の各先端部に小径の連結部（１８ａ），（１９ａ）を形成し、該小径の連結部（１８ａ），（１９ａ）
（２）
（３）
（２）…
（１８），（１９）の先端部の小径の連結部（１８ａ），（１９ａ）
　該抜け止め部
（１８），（１９）の先端部の小径の連結部（１８ａ），（１９ａ）
（２）
片
　前記多数の掛止具単体
（２）…
（１８），（１９）の先端部の小径の連結部（１８ａ），（１９ａ）
、
抜け止め部（１８），（１９）の先端部の小径の連結部（１８ａ），（１９ａ）からなる可撓性連結片で相互に連結した多数の掛止具単体で構成した帯状掛止具（１１）を、各可撓性連結片部分で曲げ、ロール帯状に巻回して帯状の掛止具ロール（２０）を構成することができるようにした、
（３）訂正事項ｃ
　特許明細書の特許請求の範囲に記載された「【請求項４】　前記一対のロープの抜け止め部は、軸部の径方向に同方向で、軸方向に互いに向い合う「ハ」の字型であり、その先端部で隣接する掛止具単体の軸部周に連結したことを特徴とする請求項３に記載の養殖帆立貝の掛止具。」を、
　「【請求項
２
（１８），（１９）
の小径の連結部（１８ａ），（１９ａ）
（２）
（３）
２
（４）訂正事項ｄ
　　特許明細書の特許請求の範囲に記載された【請求項５】ないし【請求項９】を削除する。
（５）訂正事項ｅ
　特許明細書の段落【００１２】ないし【００１５】を削除する。
（６）訂正事項ｆ
　特許明細書の段落【００１６】を、
　「【００１
２
　
【課題を解決するための手段】
上記課題を解決するために
１は、可撓性
（３）
（４）
構成する規制片（４ａ）を
（３）
（６）
構成する規制片（６ａ）を備え、軸部（３）
（１８），（１９）
た養殖帆立貝の掛止具において、
（２）
（２）
（３）
ロープの
（１８），（１９）の各先端部に小径の連結部（１８ａ），（１９ａ）を形成し、該小径の連結部（１８ａ），（１９ａ）
（２）
（３）
（２）…
（１８），（１９）の先端部の小径の連結部（１８ａ），（１９ａ）
（１８），（１９）の先端部の小径の連結部（１８ａ），（１９ａ）
（２）
片
（２）…
片
（１８），（１９）の先端部の小径の連結部（１８ａ），（１９ａ）
、抜け止め部（１８），（１９）の先端部の小径の連結部（１８ａ），（１９ａ）からなる可撓性連結片で相互に連結した多数の掛止具単体で構成した帯状掛止具（１１）を、各可撓性連結片部分で曲げ、ロール帯状に巻回して帯状の掛止具ロール（２０）を構成することができるようにし
（７）訂正事項ｇ
　特許明細書の段落【００１７】を、
　「【００１
３
　請求項
１
（２）
の
（１８），（１９）の先端部の一体の小径の連結部（１８ａ），（１９ａ）で、
曲げられ
を構成し、並設された掛止具単体（２）を
（２）
（３）
（１８ａ），（１９ａ）
（１１）
の
（１８），（１９）
　
また、帯状の掛止具（１１）をロープ抜け止め部（１８），（１９）の先端部の一体の小径の連結部（１８ａ），（１９ａ）を可撓性連結片として曲げて帯状の掛止具ロール（２０）を構成することができるので、運搬、ストックに便利であり、自動装填機による自動装填を行なう上でも有利である。
（８）訂正事項ｈ
　特許明細書の段落【００１８】を、
　「【００１
４
　請求項
２
１
（１８），（１９）
（３）
の小径の連結部（１８ａ），（１９ａ）
（２）
（３）
（９）訂正事項ｉ
　特許明細書の段落【００１９】を、
　「【００
１５
　請求項
２
（３）
（１８），（１９）
（１８），（１９）
（１０）訂正事項ｊ
　特許明細書の段落【００２０】〜【００２９】を削除する。
（１１）訂正事項ｋ
　特許明細書の段落番号【００３０】〜【００９６】を【００１６】〜【００８２】と繰り上げ訂正する。
（１２）訂正事項ｌ
　特許明細書の段落【００９７】〜【０１００】を削除する。
（１３）訂正事項ｍ
　特許明細書の段落【０１０１】を、
　「【０
０８３
　
【発明の効果】
本発明は上記構成により次の効果を発揮する。
１は、可撓性
（３）
（４）
を構成する規制片（４ａ）を
（３）
（６）
構成する規制片（６ａ）を備え、軸部（３）
（１８），（１９）
た養殖帆立貝の掛止具において
（２）
（２）
（３）
ロープの
（１８），（１９）の各先端部に小径の連結部（１８ａ），（１９ａ）を形成し、該小径の連結部（１８ａ），（１９ａ）
（２）
（３）
（２）…
（１８），（１９）の先端部の小径の連結部（１８ａ），（１９ａ）
（１８），（１９）の先端部の小径の連結部（１８ａ），（１９ａ）
（２）
片
（２）…
片
（１８），（１９）の先端部の小径の連結部（１８ａ），（１９ａ）
、抜け止め部（１８），（１９）の先端部の小径の連結部（１８ａ），（１９ａ）からなる可撓性連結片で相互に連結した多数の掛止具単体で構成した帯状掛止具（１１）を、各可撓性連結片部分で曲げ、ロール帯状に巻回して帯状の掛止具ロール（２０）を構成することができるように
（１４）訂正事項ｎ
　特許明細書の段落【０１０２】を、
　「【０
０８４
　請求項
１
（２）
の
（１８），（１９）の先端部の一体の小径の連結部（１８ａ），（１９ａ）で、隣接する
（２）と連結する。この小径の連結部（１８ａ），（１９ａ）で、
曲げられる
を構成し、並設された掛止具単体（２）を
（２）
（３）
（１８ａ），（１９ａ）
（１１）
の
（１８），（１９）
　
また、帯状の掛止具（１１）をロープ抜け止め部（１８），（１９）の先端部の一体の小径の連結部（１８ａ），（１９ａ）を可撓性連結片として曲げて帯状の掛止具ロール（２０）を構成することができるので、運搬、ストックに便利であり、自動装填機による自動装填を行なう上でも有利である。
（１５）訂正事項ｏ
　特許明細書の段落【０１０３】を、
　「【０
０８５
　請求項
２
１
前記
（１８），（１９）
（３）
の小径の連結部（１８ａ），（１９ａ）
（２）
（３）
（１６）訂正事項ｐ
　特許明細書の【０１０４】を、
　「【０
０８６
　請求項
２
（３）
の
（１８），（１９）
（１８），（１９）
（１７）訂正事項ｑ
　特許明細書の段落【０１０５】〜【０１１４】を削除する。
　
２-2．訂正の適否
（１）訂正事項ａ及びｄについて
　上記訂正事項ａ及びｄは、請求項１、２、５〜９を削除するものであるから、特許請求の範囲の減縮を目的とするものである。
（２）訂正事項ｂについて
　上記訂正事項ｂは、棒状の軸部を形成する「樹脂」が可撓性を有するものに限定し、「抜け止め部」が規制片（６ａ）によって構成されたものに限定し、「多数の掛止具単体（２）…」が、ロープの抜け止め部（１８），（１９）の各先端部に形成した小径の連結部（１８ａ），（１９ａ）を介して相互に連結されたものであることに限定するものであるから、特許請求の範囲の減縮を目的とするものである。
　そして、棒状の軸部を形成する「樹脂」が可撓性を有することについては、「掛止具単体２は両端部の帆立貝６１Ａ，６１Ｂの荷重で下方に撓む」（段落【００４９】）と記載されており、また、「抜け止め部」が規制片（６ａ）によって構成されたことについては、「各掛止具単体２…の各軸部３の両端部に形成した尖鋭部４，５の軸方向内側の部分には、軸部３の径方向外方へ突出するように、そして対称的に軸方向内側に傾斜するように前後の規制部を構成する規制片４ａ，６ａが設けられている。」（段落【００４９】）と記載されており、さらに、多数の掛止具単体（２）…相互を、ロープの抜け止め部（１８），（１９）の各先端部に形成した小径の連結部（１８ａ），（１９ａ）を介して連結することについては、段落【００４４】及び【００４５】に記載されており、上記訂正事項ｂによる訂正は、願書に添付した明細書又は図面に記載した事項の範囲内において訂正するものであり、且つ、実質上特許請求の範囲を拡張し、又は変更するものではない。
（３）訂正事項ｃについて
　上記訂正事項ｃは、訂正事項ａ及びｂによる訂正に伴う、整合させるための訂正であるから、明りようでない記載の釈明を目的とするものである。
（４）訂正事項ｅないしｑについて
　上記訂正事項ｅないしｑは、上記訂正事項ａないしｄにより特許請求の範囲の記載が訂正されたことに伴い、発明の詳細な説明の記載を訂正後の特許請求の範囲の記載と整合させるための訂正であるから、明りょうでない記載の釈明を目的とするものである。
　そして、上記訂正事項ｅないしｑによる訂正は、願書に添付した明細書又は図面に記載した事項の範囲内において訂正するものであり、且つ、実質上特許請求の範囲を拡張し、又は変更するものではない。
　
２-3．むすび
　以上のとおりであるから、上記訂正は、特許法第１２０条の４第２項及び同条第３項において準用する特許法第１２６条第２項から第３項までの規定に適合するので、当該訂正を認める。
　
３．特許異議申立てについて
３-1．異議申立の理由の概要
　特許異議申立人は、下記の証拠方法を提出し、本件請求項１ないし9に係る発明は、甲第１号証ないし甲第６号証、甲第１０号証及び甲第１１号証に記載された発明に基づいて当業者者が容易に発明をすることができたものと認められるから、その特許は特許法第２９条の規定に違反してされたものであり、特許法第１１３条第２号の規定により取り消されるべきである。
　　　　　　　　　　　　　　　　　記
　甲第１号証：特開平８−１９６１６２号公報（以下、「引用刊行物１」という。）
　甲第２号証：意匠登録第９６８６３１号公報（以下、「引用刊行物２」という。）
　甲第３号証：意匠登録第８８９７３７号公報（以下、「引用刊行物３」という。）
　甲第４号証：意匠登録第９０７３６６号公報（以下、「引用刊行物４」という。）
　甲第５号証：特公昭５８−２８１６９号公報（以下、「引用刊行物５」という。）
　甲第６号証：実願昭６０−６８１９７号（実開昭６１−１８４１１０号）のマイクロフイルム（以下、「引用刊行物６」という。）
　甲第７号証：平成１４年８月１３日付拒絶理由通知書
　甲第８号証：平成１４年１０月１１日付手続補正書
　甲第９号証：平成１４年１０月１１日付意見書
　甲第１０号証：特開昭５９−２１３３３９号公報（以下、「引用刊行物７」という。）
　甲第１１号証：特開平１−１５７０７５号公報（以下、「引用刊行物８」という。）
　
３-2．本件発明
　上記「２．訂正請求について」で示したように上記訂正が認められるから、本件の請求項１及び２に係る発明（以下、「本件発明１」、「本件発明２」という。）は、訂正後の特許明細書における特許請求の範囲の請求項１及び２の記載からみて、次のとおりのものである。
　「【請求項１】　可撓性樹脂で形成された棒状の軸部（３）の先部に、尖鋭な先部挿入部（４）及び抜け止め部を構成する規制片（４ａ）を備え、該軸部（３）の後部には尖鋭な後部挿入部（６）及び抜け止め部を構成する規制片（６ａ）を備え、軸部（３）の中間部周に、軸方向に離間してロープの抜け止め部（１８），（１９）を径方向外方に一対突設した養殖帆立貝の掛止具において、
　前記掛止具単体（２）を、該掛止具単体（２）の軸部（３）が平行するように多数並設し、
　前記ロープの抜け止め部（１８），（１９）の各先端部に小径の連結部（１８ａ），（１９ａ）を形成し、該小径の連結部（１８ａ），（１９ａ）を隣接する掛止具単体（２）の軸部（３）周に連結し、多数の掛止具単体（２）…を該抜け止め部（１８），（１９）の先端部の小径の連結部（１８ａ），（１９ａ）を介して相互に連結し、
　該抜け止め部（１８），（１９）の先端部の小径の連結部（１８ａ），（１９ａ）で該掛止具単体（２）と一体で容易に撓曲する可撓性連結片を構成し、
　前記多数の掛止具単体（２）…を前記可撓性連結片を構成する抜け止め部（１８），（１９）の先端部の小径の連結部（１８ａ），（１９ａ）により帯状に連結し、
　抜け止め部（１８），（１９）の先端部の小径の連結部（１８ａ），（１９ａ）からなる可撓性連結片で相互に連結した多数の掛止具単体で構成した帯状掛止具（１１）を、各可撓性連結片部分で曲げ、ロール帯状に巻回して帯状の掛止具ロール（２０）を構成することができるようにした、
　ことを特徴とする養殖帆立貝の掛止具。
【請求項２】　前記一対のロープの抜け止め部（１８），（１９）は、軸部（３）の径方向に同方向で、軸方向に互いに向い合う「ハ」の字型であり、その先端部の小径の連結部（１８ａ），（１９ａ）で隣接する掛止具単体（２）の軸部（３）周に連結したことを特徴とする請求項１に記載の養殖帆立貝の掛止具。」
　訂正後の特許明細書における特許請求の範囲の請求項２に記載された「請求項２に記載の」は、「請求項１に記載の」の明らかな誤記であるから、上記のように認定した。
　
３-3．引用刊行物に記載された発明
（１）取消理由で引用した引用刊行物１（特開平８−１９６１６２号公報）には、以下の記載が認められる。
（１-a）「【請求項１】　樹脂等で成形され、細長い棒状の軸部を備え、軸部の長さ方向中央部から前後に外方に２個の係止片からなる係止部を対称的に突設した帆立貝養殖用の係止具において、上記軸部の前後に設ける係止部の各係止片間の間隔を、前後の係止部で一方を大きく、他方を小さく構成した、ことを特徴とする帆立貝養殖用の係止具。」（【特許請求の範囲】）、
（１-b）「【産業上の利用分野】本発明は、帆立貝の稚貝をロープに係止、保持させて海中に吊り下げ、帆立貝の養殖を行う帆立貝の養殖用の係止具に関するものである。」（２頁左欄１４〜１６行）、
（１-c）「図１において１は係止具を示し、細長い棒状の軸部２を備え、軸部の図の左右両端部である両先端部２ａ，２ｂは外方に先端部が若干鋭るように細く、且つＲ状に形成されている。かかる係止具１は、軸部２、後述する係止部を含んで合成樹脂で各部一体に成形されている。」（３頁左欄１１〜１６行）、
（１-d）「以上の係止具１の軸部２には、２個の係止部３，６を突設する。一方の係止部３は、軸部２の長さ方向に離間した２個の係止片４，５を備え、係止片４，５は夫々軸方向の内方に傾斜し、且つ同方向の軸方向外方に傾斜するように形成されており、係止片４，５間の軸部は稚貝保持部２ｃをなす。」（３頁左欄１７〜２２行）。
（２）取消理由で引用した引用刊行物２（意匠登録第９６８６３１号公報）には、棒状の軸部の先部に、尖鋭な先部挿入部及び抜け止め部を備え、該軸部の後部には尖鋭な後部挿入部及び抜け止め部を備える貝養殖用係止具が示されている。
（３）取消理由で引用した引用刊行物３（意匠登録第８８９７３７号公報）には、
（３-a）「貝の耳吊り具」（意匠に係る物品）、
（３-b）「本物品は、貝の養殖等において、ロープに挿入し、両端の突起部に養殖用具の貝殻にあけられた孔を引つかける耳吊り具であつて、ロープ等への挿入を機械等で自動的に行うために、任意の本数を複数本両端の支持枠で一体化したものである。ロープに取り付けるときには、両端の支持枠より１本づつ分離して使用する。また、１本の長さは約７cmである。」（説明）と記載されている。
　当業者の技術水準を考慮し、上記記載及び図面の記載をみると、引用刊行物３には、棒状の軸部の先部に、尖鋭な先部挿入部及び抜け止め部を備え、該軸部の後部には尖鋭な後部挿入部及び抜け止め部を備える貝の耳吊り具であって、前記貝の耳吊り具単体の軸部の中間部周に、軸方向に離間してロープの抜け止め部を、軸方向に互いに向い合う「ハ」の字型に、軸部の径方向外方に一対突設し、前記貝の耳吊り具単体を、該貝の耳吊り具単体の軸部が平行するように複数並設し、複数の貝の耳吊り具単体の両端を支持枠で一体に連結した、貝の耳吊り具（以下、「引用刊行物３の発明」という）が記載されているといえる。
（４）取消理由で引用した引用刊行物４（意匠登録第９０７３６６号公報）には、
（４-a）「貝の耳吊り具」（意匠に係る物品）、
（４-b）「本物品は、貝の養殖において、ロープに挿入し、両端部の突起部に養殖貝の貝殻に開けられた孔を引つ掛ける耳吊り具である。本物品は、ロープへの挿入を機械で自動的に行うために、任意の本数を複数本両端の支持枠で一体化したものであり、ロープに取付ける時には、両端の支持枠より１本づつ分離して使用するものである。」（説明）と記載されている。
　当業者の技術水準を考慮し、上記記載及び図面の記載をみると、引用刊行物４には、棒状の軸部の先部に、尖鋭な先部挿入部及び抜け止め部を備え、該軸部の後部には尖鋭な後部挿入部及び抜け止め部を備える貝の耳吊り具であって、前記貝の耳吊り具単体の軸部の中間部周に、軸方向に離間してロープの抜け止め部を、軸部の径方向外方向であって、反対方向に対称的に突設し、前記貝の耳吊り具単体を、該貝の耳吊り具単体の軸部が平行するように複数並設し、複数の貝の耳吊り具単体の両端を支持枠で一体に連結した、貝の耳吊り具が記載されているといえる。
（５）取消理由で引用した引用刊行物５（特公昭５８−２８１６９号公報）には、以下の記載が認められる。
（５-a）「第１図、第２図および第３図に示すように本発明による留め具集合体５９は２本の細長い連続した分割されないプラスチック材製側部部片６０Ａ，６０Ｂと、各側部部片６０Ａ，６０Ｂにかつこれ等の間に開口、空間または穴６０Ｄが各横リンク本体および各側部部片６０Ａ，６０Ｂの間に残るように結合した複数個のプラスチック材製横リンク６０Ｃとを備えている。
　集合体５９はプラスチック材から作るのがよい。プラスチック材は少くとも部分的にたわみ性を持ちまたその少くとも一部分がこの部分を後述のように針のみぞ穴を経て容易に押せるように充分なこわさを持つのが最も好適である。
　さらにボタンの結合を含む若干の応用例では集合体５９がまた弾性も持つことが極めて望ましい。各側部部片６０Ａ，６０Ｂを形成するプラスチック材はまた引ちぎり、戴断し、切断する等によって容易に分離または分割され図示のように複数個の留め具を形成するが、分与装置に送入したときに分離して分離装置の詰まりを生ずるほど容易には複数個の留め具に分離しないような種類のものが好適である。」（２頁左欄４１行〜同頁右欄１８行）、
（５-b）「第１１図は図示のようにロール状の留め具集合体５９を貯蔵する丸い筒６５を示す。
　使用のためには集合体５９を先ずロール状に巻き、プレスばめのふた６６Ａを筒本体６６Ｂからはずしこの巻いたロールを集合体の一部が送り穴６６Ｃを通過するようにすることによつて筒６５内に入れる。
　集合体５９は筒６５から引出すときは矢印に示すように動く。」（４頁左欄１行〜１０行）。
（６）取消理由で引用した引用刊行物６（実願昭６０−６８１９７号（実開昭６１−１８４１１０号）のマイクロフイルム）には、「一端につば部２、他端に尖端部３を一体的に有する合成樹脂釘単体１を可撓性を有する肉薄巾狭状の連結帯４によって並列連繋状に一体的に連綴し、ロール状に回巻したことを特徴とする合成樹脂製の釘集合体。」（実用新案登録請求の範囲）と記載されている。
（７）取消理由で引用した引用刊行物７（特開昭５９−２１３３３９号公報）には、以下の記載が認められる。
（７-a）「本発明は二個以上の物品を連結する係止具、特に帆立貝の養殖の際に稚貝をロープに取付けるために使用する養殖用の係止具及びその製造方法を提供するものである。」（１頁下段右欄９〜１２行）、
（７-b）「第１４図〜第１６図は別の係止具を製造方法を示す図であって、第１４図のように係止具粗材30を成形する。この係止具粗材30はフイラメント部31と中央部分に設けた縮小フイラメント部32と鉤部33と前記フイラメント部31の両端に設けた頭部34より成るものである。
　前記のように構成された粗材30の両端に矢印Ｘ，Ｙで示す方法に延伸すると、第１５図に示す延伸した係止具粗材30Aが製造される。36と37は切断部分であつて、この部分で切断すると第１６図に示すような係止具30Bが得られる。」（５頁右上欄１４行〜同頁左下欄４行）。
（８）取消理由で引用した引用刊行物８（特開平１−１５７０７５号公報）には、以下の記載が認められる。
（８-a）「第１図及び第２図において、１は絶縁体付き導体線集合体であって、導体線３の中央部に絶縁体４が一体成形された絶縁体付き導体線２が、薄く幅の小さい連結片５で連結され、かつ導体線３の両端部がテープ状帯６で連結されている。・・・前記絶縁体４及び連結片５は、例えばガラス繊維を30％程度含有させたポリブチレンテレフタレートなど、特に連結片５に所要の強度と可撓性を持たせ得る材質の絶縁性樹脂にて構成されている。」（２頁右上欄７〜１９行）、
（８-b）「こうして製造された絶縁体付き導体線集合体１は前記連結片５部分で容易に曲がるために可撓性を有し、巻取リール16に巻き取り可能である。また、巻取リール16に巻き取った絶縁体付き導体線集合体１をそのまま自動挿入装置に装着して基板に自動挿入することによって、第１２図に示したようなコネクタ端子を形成することが可能である。」（３頁左上欄１５行〜同頁右上欄２行）。
　
３-4．対比・判断
３-4-1．本件発明１について
　本件発明１と引用刊行物３又は４の発明とを対比すると、引用刊行物３又は４の発明の「貝の耳吊り具」及び「貝の耳吊り具単体」は、本件発明１の「養殖帆立貝の掛止具」及び「掛止具単体（２）」に対応するから、両者は、
　棒状の軸部の先部に、尖鋭な先部挿入部及び抜け止め部を構成する規制片を備え、該軸部の後部には尖鋭な後部挿入部及び抜け止め部を構成する規制片を備え、軸部の中間部周に、軸方向に離間してロープの抜け止め部を径方向外方に一対突設した養殖帆立貝の掛止具において、
　前記掛止具単体を、該掛止具単体の軸部が平行するように多数並設した養殖帆立貝の掛止具である点で一致し、次の点で構成が相違する。
　相違点（Ａ）
　棒状の軸部が、本件発明１では、可撓性樹脂で形成されているのに対し、引用刊行物３又は４の発明では、材質が不明である点、
　相違点（Ｂ）
　本件発明１では、「ロープの抜け止め部（１８），（１９）の各先端部に小径の連結部（１８ａ），（１９ａ）を形成し、該小径の連結部（１８ａ），（１９ａ）を隣接する掛止具単体（２）の軸部（３）周に連結し、多数の掛止具単体（２）…を該抜け止め部（１８），（１９）の先端部の小径の連結部（１８ａ），（１９ａ）を介して相互に連結し、該抜け止め部（１８），（１９）の先端部の小径の連結部（１８ａ），（１９ａ）で該掛止具単体（２）と一体で容易に撓曲する可撓性連結片を構成し、前記多数の掛止具単体（２）…を前記可撓性連結片を構成する抜け止め部（１８），（１９）の先端部の小径の連結部（１８ａ），（１９ａ）により帯状に連結し、抜け止め部（１８），（１９）の先端部の小径の連結部（１８ａ），（１９ａ）からなる可撓性連結片で相互に連結した多数の掛止具単体で構成した帯状掛止具（１１）を、各可撓性連結片部分で曲げ、ロール帯状に巻回して帯状の掛止具ロール（２０）を構成することができるようにし」ているのに対し、引用刊行物３又は４の発明では、複数の掛止具単体（貝の耳吊り具単体）の両端を支持枠で一体に連結しているが、ロール帯状に巻回して帯状の掛止具ロールを構成することができない点。
　まず、上記相違点（Ｂ）について検討する。
　引用刊行物５には、２本の細長い連続した分割されないプラスチック材製側部部片６０Ａ，６０Ｂと、側部部片６０Ａと側部部片６０Ｂとを結合する複数個のプラスチック材製横リンク６０Ｃとで留め具集合体５９を構成し、留め具集合体５９をロール状に回巻することが記載され、また、引用刊行物６には、合成樹脂釘単体１を可撓性を有する肉薄巾狭状の連結帯４によって並列連繋状に一体的に連綴し、ロール状に回巻することが記載され、さらに、引用刊行物８には、導体線３の中央部に絶縁体４が一体成形された絶縁体付き導体線２を、薄く幅の小さい連結片５で連結し、巻取リール16に巻き取り可能に構成することが、記載されており、釘等を可撓性の連結片で連結し、ロール状に回巻できるように構成することは公知であるといえる。
　そうすると、引用刊行物３又は４の発明において、複数の掛止具単体（貝の耳吊り具単体）の両端を一体に連結している支持枠を可撓性にして、ロール状に回巻するよう構成することは当業者が容易に想到できることであるといえる。
　しかしながら、本件発明１においては、養殖帆立貝の掛止具特有の構成である、ロープの抜け止め部（１８），（１９）を利用して、多数の掛止具単体（２）…を相互に連結しているのに対し、引用刊行物３又は４の発明においては、複数の係止具単体の両端に別途設けた支持枠で連結している点で相違しており、他の引用刊行物をみても、引用刊行物３又は４の発明において、複数の係止具単体の連結を、ロープの抜け止め部を利用して行うことを示唆する記載もない。
　さらに、本件発明１においては、引用刊行物３又は４の発明のロープの抜け止め部のような、単なるロープの抜け止め部をそのまま利用したものではなく、ロープの抜け止め部（１８），（１９）の各先端部に小径の連結部（１８ａ），（１９ａ）を形成するという格別の構成要件を採用することにより、複数の係止具単体を可撓性を有して連結することを実現したものと認められる。
　したがって、他の引用刊行物を参酌したとしても、相違点（Ｂ）が容易に想到できたものとすることはできない。
　そして、本件発明１は、特許明細書記載の効果を奏するものであるから、上記相違点（Ａ）について検討するまでもなく、本件発明１が、引用刊行物１ないし８に記載された発明に基づいて当業者が容易に発明をすることができたものとすることはできない。
３-4-2．本件発明２について
　本件発明２は、本件発明１に、「前記一対のロープの抜け止め部（１８），（１９）は、軸部（３）の径方向に同方向で、軸方向に互いに向い合う「ハ」の字型であり、その先端部の小径の連結部（１８ａ），（１９ａ）で隣接する掛止具単体（２）の軸部（３）周に連結した」という構成をさらに付加するものであるから、本件発明２は、上記「３-4-1．本件発明１について」に記載した理由により当業者が容易に想到できたものとすることはできない。
　
３-5．むすび　
　以上のとおりであるから、特許異議の申立ての理由によっては本件請求項１及び２に係る発明についての特許を取り消すことはできない。
　また、他に本件請求項１及び２に係る発明についての特許を取り消すべき理由を発見しない。
　よって、結論のとおり決定する。
【異議決定日】
平成１６年６月８日（２００４．６．８）
【訂正の要旨】
審決（決定）の【理由】欄参照。
（５４）【発明の名称】
養殖帆立貝の掛止具
（５７）【特許請求の範囲】
　【請求項１】　
可撓性樹脂で形成された棒状の軸部（３）の先部に、尖鋭な先部挿入部（４）及び抜け止め部を構成する規制片（４ａ）を備え、該軸部（３）の後部には尖鋭な後部挿入部（６）及び抜け止め部を構成する規制片（６ａ）を備え、軸部（３）の中間部周に、軸方向に離間してロープの抜け止め部（１８），（１９）を径方向外方に一対突設した養殖帆立貝の掛止具において、
　
前記掛止具単体（２）を、該掛止具単体（２）の軸部（３）が平行するように多数並設し、
　
前記ロープの抜け止め部（１８），（１９）の各先端部に小径の連結部（１８ａ），（１９ａ）を形成し、該小径の連結部（１８ａ），（１９ａ）を隣接する掛止具単体（２）の軸部（３）周に連結し、多数の掛止具単体（２）…を該抜け止め部（１８），（１９）の先端部の小径の連結部（１８ａ），（１９ａ）を介して相互に連結し、
　
該抜け止め部（１８），（１９）の先端部の小径の連結部（１８ａ），（１９ａ）で該掛止具単体（２）と一体で容易に撓曲する可撓性連結片を構成し、
　
前記多数の掛止具単体（２）…を前記可撓性連結片を構成する抜け止め部（１８），（１９）の先端部の小径の連結部（１８ａ），（１９ａ）により帯状に連結し、
　
抜け止め部（１８），（１９）の先端部の小径の連結部（１８ａ），（１９ａ）からなる可撓性連結片で相互に連結した多数の掛止具単体で構成した帯状掛止具（１１）を、各可撓性連結片部分で曲げ、ロール帯状に巻回して帯状の掛止具ロール（２０）を構成することができるようにした、
　
ことを特徴とする養殖帆立貝の掛止具。
　【請求項２】　
前記一対のロープの抜け止め部（１８），（１９）は、軸部（３）の径方向に同方向で、軸方向に互いに向い合う「ハ」の字型であり、その先端部の小径の連結部（１８ａ），（１９ａ）で隣接する掛止具単体（２）の軸部（３）周に連結したことを特徴とする請求項２に記載の養殖帆立貝の掛止具。
【発明の詳細な説明】
　【０００１】
　【発明の属する技術分野】
　本発明は、養殖帆立貝をロープに掛止する掛止具に関する。
　【０００２】
　【従来の技術】
　帆立貝の養殖は、図３３のように水中に垂らすロープ１００に、ロープの軸方向と直角に樹脂製の掛止具２０１を貫通させて掛止し、掛止具２０１の先部には先端が先鋭な挿入部２０２と前部抜け止め部２０３とを備え、後部には後部抜け止め部２０４を備える。
　【０００３】
　ロープ２００と前部抜け止め部２０３との間、ロープ２００と後部抜け止め部２０４との間の軸部２０５に、帆立貝２０６，２０７の耳片部２０６ａ，２０７ａに設けた孔を通し、帆立貝２０６，２０７を掛止具２０１を介してロープに掛止する。
　【０００４】
　従来の掛止具の一例は、図３４で示した如くである。
　図で示す如く、多数の掛止具２０１…を並設し、各掛止具２０１…の先鋭な先端部２０２ａ、及び後部抜け止め部２０４の後端面２０４ａを、上下に平行に設けた剛性のある長い枠部材２０８，２０９で連結し、多数の掛止具を並設した梯子状部材２１０を形成する。
　【０００５】
　以上の梯子状部材２１０から掛止具２０１…を得るには、先鋭な先端部２０２ａ、及び後部抜け止め部２０４の後端面２０４ａを、上下の枠部材２０８，２０９から切断して取り外し、掛止具単体を得、爾後帆立貝、ロープに掛止具を通し、図３３のように帆立貝をロープに掛止する。
　【０００６】
　【発明が解決しようとする課題】
　以上の従来の掛止具２０１は、梯子状部材２１０として成形されている。
　一方、掛止具２０１は多数消費することを前提として上記したように梯子状部材として成形されており、梯子状部材をストックするには、多数の梯子状部材を上下に積層してストックする必要があり、大きなスペースを必要とする。
　又積層した場合には安定性を欠き、一方、積層した場合には、上下の掛止具が重力作用で相互に絡む虞があり、梯子状部材を個々に取り外そうとした場合に、重ねられた掛止具相互が絡んで剥離したりし、掛止具を自動装填することを前提とした場合、好ましくない。
　【０００７】
　一方、梯子状部材を前後方向に立ててストックすることも考えられるが、これによると前記と同様に大きなスペースを必要とし、又ストック状態で安定性を欠く。
　又多数の梯子状部材を立ててストックするには、各梯子状部材の下部が前後方向に広がる傾向にあり、余分なスペースを必要とする。
　【０００８】
　以上の他、掛止具の自動装填を行なう場合には、カートリッジ内に梯子状部材を積層、或いは立てて並べる必要があり、カートリッジの容量には限度があり、又梯子状部材の円滑な送り、供給を考慮すると、大量の梯子状部材をカートリッジ内に収納することは好ましくない。
　【０００９】
　従って、適正な量の梯子状部材をカートリッジ内に収納し、掛止具の切り離し装置にセットして掛止具を切り離し、且つ掛止具を帆立貝、ロープの孔に通す作業を行なう必要があるが、掛止具を自動装填した場合には、カートリッジ内の梯子状部材が短時間で不足するような事態が生じ、自動装填作業上不利である。
　【００１０】
　又上記した梯子状部材では、上下の枠部材は、複数の掛止具を保持し、保形する上で、又カートリッジへの装填、送り等の要請から、掛止具の軸部と同様の剛性を有するように厚肉等に形成されており、このため、自動装填に際し、上下の枠部の除去機構、排出機構を必要とし、自動装填装置が複雑化する、という課題もある。
　【００１１】
　本発明は、以上の課題を解決すべくなされたもので、その目的とする処は、掛止具を小さなスペースで大量に一体的に収納することを可能とし、収納、搬送が容易化し、且つ自動装填上も掛止具の補充等を最少に抑えることが可能であり、又掛止具単体の分割も容易で、自動装填上も極めて有利である養殖帆立貝の掛止具を提供することにある。
　【００１２】
　【課題を解決するための手段】
　上記課題を解決するために請求項１は、
可撓性樹脂で形成された棒状の軸部（３）の先部に、尖鋭な先部挿入部（４）及び抜け止め部を構成する規制片（４ａ）を備え、該軸部（３）の後部には尖鋭な後部挿入部（６）及び抜け止め部を構成する規制片（６ａ）を備え、軸部（３）の中間部周に、軸方向に離間してロープの抜け止め部（１８），（１９）を径方向外方に一対突設した養殖帆立貝の掛止具において、掛止具単体（２）を、該掛止具単体（２）の軸部（３）が平行するように多数並設し、ロープの抜け止め部（１８），（１９）の各先端部に小径の連結部（１８ａ），（１９ａ）を形成し、該小径の連結部（１８ａ），（１９ａ）を隣接する掛止具単体（２）の軸部（３）周に連結し、多数の掛止具単体（２）…を該抜け止め部（１８），（１９）の先端部の小径の連結部（１８ａ），（１９ａ）を介して相互に連結し、該抜け止め部（１８），（１９）の先端部の小径の連結部（１８ａ），（１９ａ）で該掛止具単体（２）と一体で容易に撓曲する可撓性連結片を構成し、多数の掛止具単体（２）…を前記可撓性連結片を構成する抜け止め部（１８），（１９）の先端部の小径の連結部（１８ａ），（１９ａ）により帯状に連結し、抜け止め部（１８），（１９）の先端部の小径の連結部（１８ａ），（１９ａ）からなる可撓性連結片で相互に連結した多数の掛止具単体で構成した帯状掛止具（１１）を、各可撓性連結片部分で曲げ、ロール帯状に巻回して帯状の掛止具ロール（２０）を構成することができるようにしたことを特徴とする。
　【００１３】
　請求項１では、
並設された掛止具単体（２）の先部、後部間をロープの抜け止め部（１８），（１９）の先端部の一体の小径の連結部（１８ａ），（１９ａ）で、隣接する掛止具単体（２）と連結する。この小径の連結部（１８ａ），（１９ａ）で、容易に曲げられる可撓性連結片を構成し、並設された掛止具単体（２）を連結するので、大量の掛止具単体（２）を、各軸部（３）が平行するようにして一体に、帯状に連結させることができ、連結片が可撓性を有するので、連結部（１８ａ），（１９ａ）を曲げて帯状掛止具（１１）をロール状にすることができるので、運搬、ストック上有利である。掛止具の軸部周に設けたロープの抜け止め部（１８），（１９）で掛止具のロープへの係止を確実に行なうことができ、抜け止めを確実に行なうことができる。
　
また、帯状の掛止具（１１）をロープ抜け止め部（１８），（１９）の先端部の一体の小径の連結部（１８ａ），（１９ａ）を可撓性連結片として曲げて帯状の掛止具ロール（２０）を構成することができるので、運搬、ストックに便利であり、自動装填機による自動装填を行なう上でも有利である。
　【００１４】
　請求項２は、請求項１において、
前記一対のロープの抜け止め部（１８），（１９）は、軸部（３）の径方向に同方向で、軸方向に互いに向い合う「ハ」の字型であり、その先端部の小径の連結部（１８ａ），（１９ａ）で隣接する掛止具単体（２）の軸部（３）周に連結したことを特徴とする。
　【００１５】
　請求項２では、
掛止具の軸部（３）周に突設したロープの抜け止め部（１８），（１９）は「ハ」の字型なので、この間にロープを位置させることで抜け止め部（１８），（１９）でロープの抜け止めを確実に行なうことができる。
　【
００１６
　【発明の実施の形態】
　本発明の実施の形態を添付図に基づいて以下に説明する。なお、図面は符号の向きに見るものとする。
　図１は、本発明に係る帯状掛止具の一部の正面図、図２は図１の掛止具をロール状に巻回した説明的斜視図、図３は図１の一部の拡大図である。
　これ等の図面を参照しつつ本発明を説明する。
　【
００１７
　図１において１は多数の掛止具単体２…（…は複数を表す。以下同じ）を後述する可撓性連結片８…，９…で一体に連結した帯状掛止具である。
　掛止具単体２…は、これを拡大した図３で明らかなように、棒状の各軸部３の先端部には挿入部を構成する尖鋭部４を、後端部には先端部の尖鋭部４と対称形状の尖鋭部６を備える。
　【
００１８
　先端部及び後端部の尖鋭部４，６は、実施の形態では対称形状の「レ」字型で銛状である。尖鋭部４，６は「↑」型の銛状としても良い。
　各掛止具単体２…の各軸部３の両端部に形成した尖鋭部４，５の軸方向内側の部分には、軸部３の径方向外方へ突出するように、そして対称的に軸方向内側に傾斜するように前後の規制部を構成する規制片４ａ，６ａが設けられている。
　【
００１９
　規制片４ａ，６ａは、実施の形態では先端部から軸方向内方且つ径方向外方に弯曲するように弧状をなし、両端部の尖鋭部４，６の軸方向内側の部分には、規制片４ａ，６ａを立上がらせた残りの部分として前後方向に先細りとなる先細り部５，７が形成される。軸部３の先細り部５，７間は、同径の軸部３を構成することとなる。
　【
００２０
　以上の掛止具単体２…は、極めて多数平行するように並置する。極めて多数平行するように並置された掛止具単体２…の各軸部３…間の中間部間を、軸方向に離間した複数本の可撓性連結片、図示例では２本の可撓性連結片８，９で連結し、図１で示したような帯状掛止具１を構成する。
　掛止具単体２…は、極めて多数、例えば数千本〜１０，０００本オーダーで連結されて製作する。
　【
００２１
　掛止具単体２…を連結する可撓性連結片８，９…は、先端部、後端部を揃え、夫々の軸部３…が相互に平行するように掛止具単体２…を近接して並置した状態において、軸部３…と直交し、外見上は軸部３…の中間部の上部及び下部を直線状に貫き、一体に連結するように構成されている。
　以上の帯状掛止具１は、上記したように数千本〜１０，０００本の掛止具単体２…を可撓性連結片８…，９…で帯状に連結してなり、可撓性連結片８…，９…は容易に撓曲させることができる。
　従って、帯状掛止具１は可撓性連結片８…，９…の部分で容易に曲げることができ、図２に示すようにロール状に巻回することができ、ロール状帯状掛止具１０を構成することができる。
　【
００２２
　以上の掛止具単体２…及び帯状掛止具１は、可撓性連結片８…，９…を含んで全一体に合成樹脂で形成する。
　掛止具単体２を切り離した状態を図４で示した。
　図４において８ａ，９ａは、切り離した掛止具単体２の軸部３の外周に残留した可撓性連結片８，９の切り離し部である。
　【
００２３
　以上の切り離した掛止具単体２は、図４で明らかように両端部の尖鋭部４，６が対称形状なので、両端部の前後が全く同一となる。従って、自動切り離し装置、自動装填装置に帯状掛止具１をセットした際、上下の方向を問わずにセットすることができ、ロープ及び帆立貝への掛止具単体の装填が行える。
　【
００２４
　図５は、ロープ６０への掛止具単体２の掛止、掛止具単体２への帆立貝６１，６１の掛止状態を示し、図では理解の便宜上、片側の帆立貝を外して示した。
　帆立貝６１，６１は各耳片６２に夫々掛止孔６３を備え、ロープ６０にこれと直交するように掛止具単体２を係止孔を介して貫通、保持させ、可撓性連結片の切り離し部８ａ，９ａ間にロープ１００は位置する。
　【
００２５
　先端の尖鋭部４に耳片６２の掛止孔６３を通し、図の手前側の帆立貝６１Ａを掛止具単体２に掛止する。
　尖鋭部４は、規制片４ａが径方向外方に弯曲して突出しているので、掛止孔６３を通過すると、耳片６２の裏面（ロープ側の面）で外方に弯曲、突出し、耳片６２の掛止孔６３の外側周辺部に当接し、抜け止め作用を行なう。
　これにより、帆立貝６１は掛止具単体２の一方の規制片４ａで抜け出しを阻止される。耳片６２の掛止孔６３は、内周上部が先細り部５に臨み、これが一段下がっていることから、規制片４ａを更に外方に弯曲させ、掛止孔に対する拡開、抜け出し阻止作用を高める。
　【
００２６
　図の奥の帆立貝６１Ｂは、図では外して示しているが、耳片６２の掛止孔６３をロープ６０から突出している掛止具単体２の後端部の尖鋭部６に挿入し、図の手前側の帆立貝６１Ａと同様に掛止具単体２の後端部に掛止、保持されることとなる。
　このように、１本の掛止具単体２の両端部の尖鋭部４，６、規制片４ａ，６ａに各掛止孔６３を介して２個の帆立貝６１Ａ，６１Ｂを天秤棒のように掛止、保持する。両端部に帆立貝６１Ａ，６１Ｂを掛止、保持した掛止具単体２は、ロープ６０の長さ方向に所定間隔を開けて多数係止され、海中にロープを垂らして帆立貝の養殖を行なう。
　【
００２７
　図６〜図１０は、図１〜図５の掛止具の他の実施の形態を示す。
　図６は帯状掛止具の一部の正面図、図７は図６の掛止具をロール状に巻回した説明的斜視図、図８は図６の一部の拡大図、図９は掛止具単体を切り離した状態の図、図１０はロープへの掛止具単体の掛止、掛止具単体への帆立貝の掛止状態を示す図である。
　【
００２８
　本実施の形態の帯状掛止具を符号１１で表し、これを構成する掛止具単体を前記と同様に符号２…で表し、掛止具単体２…の基本構造は、前記と同様なので、同一部分には同一符号を付し、詳細な説明は省略する。
　上記と同様に２…は掛止具単体、３…は軸部、４，６は両端部の尖鋭部、４ａ，６ａａは規制片、５，７は先細り部である。
　【
００２９
　以上において、丸棒状の軸部３の中間部周に、軸方向に離間してロープ６０の抜け止め部１８，１９を径方向外方に２個突設する。
　抜け止め部１８，１９は、軸部３の外周から径方向には同方向で、軸方向に互いに向い合うように「ハ」の字型に突設した。
　【
００３０
　抜け止め部１８，１９は「ハ」の字型に拡開した基部を太い径とし、各先端部に小径の連結部１８ａ，１９ａが形成され、複数本、図示例では２本配設されており、該抜け止め部１８，１９先端部の小径な連結部の連結部１８ａ，１９ａで、隣接する掛止具単体２の軸部３周に連結する。
　この抜け止め部１８，１９の小径な連結部１８ａ，１９ａの部分で、前記したと同様に可撓性連結片を構成する。
　【
００３１
　図７は、この帯状掛止具１１をロール状に巻回したロール状掛止具２０を示し、図８は帯状掛止具１１の拡大図であり、図９は掛止具単体２を切り離して示した図である。
　抜け止め部１８，１９は径が太くても、これの先部の細い部分の連結片を構成する小径な連結部１８ａ，１９ａが、隣接する掛止具単体２と連結しているので、連結部１８ａ，１９ａの部分から帯状掛止具１１は容易に曲げられ、ロール状にすることができる。
　【
００３２
　図９に示すように、切り離された掛止具単体２は、軸部３周に「ハ」の字型の抜け止め部１８，１９が突設されており、抜け止め部１８，１９の先部には、小径な連結部１８ａ，１９ａが、隣接する掛止具単体２の軸部３から切り離されて向い合うように配置している。
　【
００３３
　図１０は、ロープへの掛止具単体の掛止、掛止具単体への帆立貝の掛止状態を示す図である。
　図において６０はロープで、ロープ６０の径方向に貫通して設けた掛止穴に掛止具単体２を挿入する際、一方の抜け止め部１８、又は１９が撓んで挿入される。
　「ハ」の字型の抜け止め部１８と１９間にロープ６０が臨み、抜け止め部１８，１９で掛止具単体２の抜け止めを確実に行う。
　【
００３４
　ロープ６０への掛止具単体２の貫通、挿入は、「ハ」の字型の抜け止め部１８と１９が下を向くようにセットすることが望ましい。
　掛止具単体２の両端部の尖鋭部４，６を、帆立貝６１Ａ，６１Ｂの耳片６２，６２の各掛止孔６３に前記と同様に挿入し、帆立貝６１Ａ，６１Ｂを掛止具単体２を介してロープ６０に掛止、保持させる。
　【
００３５
　ところで、掛止具単体２は両端部の帆立貝６１Ａ，６１Ｂの荷重で下方に撓むが、「ハ」の字型の抜け止め部１８と１９とが下を向くことで、「ハ」の字型の抜け止め部１８と１９の間隔が狭まり、先端部１８ａ，１９ａがロープ６０に食い込み、掛止具単体２のロープ６０への係合が、帆立貝の荷重を利用した下方への弯曲で一層強固、確実になされる。
　図１０で理解し得るように、抜け止め部１８，１９間にロープ６０が臨み、帆立貝６１Ａ，６１Ｂの荷重で下方に撓んで撓曲し、ロープ６１への掛止具単体２の保持を強固、確実行ない、これにより掛止具単体２の軸方向への移動を規制し、ロープ６０への掛止具単体２の抜け止めを行っていることが理解できる。
　【
００３６
　図１１〜図１５は、図１〜図５の掛止具の他の実施の形態を示す図で、図６〜図９の変更された実施の形態を示す図である。
　２…は掛止具単体、４，６は両端部の尖鋭部、４ａ，６ａは規制片、３は軸部、５，７は先細り部である。
　軸部３の中間部周に、軸方向に離間してロープ６０の抜け止め部３１，３２を径方向外方に２個突設する。
　【
００３７
　抜け止め部３１，３２は、軸部３から径方向の同方向で、軸方向に互いに向い合うように「ハ」の字型に突設する。抜け止め部３１，３２は、各係止具単体２…の夫々の軸部周に、同様に設けられる。
　各掛止具単体２…は、前記と同様に近接して平行し、抜け止め部３１，３２は同方向を向いて配置される。隣接する各軸部３の上記した抜け止め部３１，３２の軸方向外方部分周を、複数本、図示例では軸方向に離間して２本の可撓性連結片２８，２９で連結する。
　【
００３８
　以上により図１１に示すように帯状掛止具２１を構成し、図１２は、帯状掛止具２１をロール状に巻回したロール状掛止具３０を示した。
　図１３は帯状掛止具２…の一部の拡大図であり、図１４は切り離した掛止具単体２を示した。
　図１４で示すように、切り離された掛止具単体２は、軸部３周に「ハ」の字型の抜け止め部３１，３２が突設されている。
　ロープ６０の径方向に貫通して設けた掛止穴に掛止具単体２を挿入する際、一方の抜け止め部３１、又は３２が撓んで挿入され、「ハ」の字型の抜け止め部３１と３２間にロープ６０が臨み、抜け止め部３１，３２で掛止具単体２の抜け止めを確実に行う。
　【
００３９
　図１５は、ロープ６０への掛止具単体２の掛止、掛止具単体２への帆立貝６１Ａ，６１Ｂの掛止状態を示し、図では理解の便宜上、片側の帆立貝を外して示した。
　図で理解し得るように、抜け止め部３１，３２間にロープ６０が臨み、掛止具単体２の軸方向への移動を規制し、ロープ６０への掛止具単体２の抜け止めを行っていることが理解できる。
　【
００４０
　図１６〜図２０は、図１０〜図１５の変更された実施の形態を示す図で、図１６は帯状掛止具の一部の正面図である。
　掛止具単体２…の基本構造は、前記と同様なので、同一部分には同一符号を付し、詳細な説明は省略する。
　【
００４１
　２…は掛止具単体、４，６は尖鋭部、４ａ，６ａは規制片、３は軸部、５，７は先細り部である。
　軸部３の中間部周に、軸方向に離間してロープ６０の抜け止め部５１，５２を径方向外方で、且つ反対方向に対称的に２個突設する。
　【
００４２
　抜け止め部５１，５２は、軸部３周において、軸方向に離間し、相互に平行し、内向きとなるように傾斜して設ける。
　各掛止具単体２…の平行し、隣接する各軸部３の上記した抜け止め部５１，５２の軸方向外方部分周を、複数本、図示例では２本の可撓性連結片４８，４９で連結する。
　これにより帯状掛止具４１を形成する。
　【
００４３
　ところで、実施例では両端部の「レ」の字型の尖鋭部５３，５４は、互いに対称的に軸上において逆方向に規制片４ａ，６ａが突出するように形成する。
　従って、先細り部５，７も軸方向両側部で軸上において反対側に設けられ、その他の構成は図１１〜図１５の例と同様である。
　【
００４４
　図１７は、帯状掛止具４１をロール状に巻回したロール状掛止具５０を示し、又図１８は帯状掛止具４１の拡大図であり、図１９は切り離した掛止具単体２を示す。
　【
００４５
　図１９で示すように、切り離された掛止具単体２は、軸部３周に反対側に平行して傾斜するように対称的に「レ」の字型の抜け止め部５１，５２が突設されており、ロープ６０の径方向に貫通して設けた掛止穴に掛止具単体２を挿入する際、一方の抜け止め部５１、又は５２が撓んで挿入される。
　これにより「ハ」の字型の抜け止め部５１と５２間にロープ６０が臨み、抜け止め部５１，５２で掛止具単体２の抜け止めを確実に行う。
　【
００４６
　図２０は、ロープ６０への掛止具単体２の掛止、掛止具単体２への帆立貝６１Ａ，６１Ｂの掛止状態を示し、図では理解の便宜上、片側の帆立貝を外して示した。
　図で理解し得るように、抜け止め部５１，５２間にロープが臨み、掛止具単体５２の軸方向への移動を規制し、ロープ６０への掛止具単体２の抜け止めを行っていることが理解できる。
　【
００４７
　次に参考のため、掛止具及びロープへの帆立貝の自動装填装置及び自動装填方法を説明する。
　図２１〜図３２で説明する。尚掛止具は一端部に本発明のように尖鋭部を備えるが、他端部を規制部とした参考例の掛止具で説明する。
　【
００４８
　図２１は参考例の掛止具の一部の正面図、図２２は図２１の一部の拡大図、図２３は帯状掛止具から掛止具単体を分離した状態の斜視図、図２４は帯状掛止具をロール状に巻回した状態の斜視図、図２５はロール状掛止具をカートリッジに巻回、装着した状態の斜視図、図２６は掛止具の帆立貝、ロープへの自動装填状態を示す説明的斜視図、図２７は自動装填状態の装填部分の説明的縦断面図で、帆立貝、ロープへの孔開け直前の図、図２８は帆立貝、ロープへの孔開け状態を示す図、図２９は孔開け後、掛止具単体を上昇させて先部、後部の可撓性連結片を切断して分離する状態を示す説明図、図３０は掛止具単体を帆立貝、ロープの孔部に挿入した状態を示す説明図、図３１は掛止具の帆立貝、ロープへの自動装填状態の他の例を示す説明的斜視図、図３２は帆立貝養殖の状態を示す説明図である。
　【
００４９
　図２１及び図２２で本発明の参考例にかかる養殖帆立貝の掛止具を説明しておく。
　帯状掛止具１０１は極めて多数の掛止具単体１０２…を有し、各掛止具単体１０２…先部に先端部が尖鋭な銛状の挿入部１０３を備え、挿入部１０３の後部は太くなって先部抜け止め部である先部規制部１０４を構成する。
　【
００５０
　先部規制部１０４の軸方向後部は、軸方向に長い円柱棒状の軸部１０５を一体に備え、軸部１０５の先部と先部規制部１０４との間は、先部が小径で、後部が軸部１０５と連続して大径となる先細り部１０６が形成され、軸部１０５は後部まで同径で、軸部１０５の後部には大径の後部抜け止め部である後部規制部１０７が形成されている。
　【
００５１
　以上の掛止具単体１０２…は樹脂で形成され、掛止具単体１０２…を極めて多数、その軸部１０５が先端、後端を揃えるようにして夫々平行するように並べる。
　多数並設した各掛止具単体１０２…の先部、及び後部間を可撓性連結片１０８及び１０９で連結する。
　【
００５２
　先部連結片１０８は、参考例では、本発明と異なり各掛止具単体１０２…の先端部に設けた挿入部１０３の後部に連なる先部規制部１０４の後部から下方、且つ側方に弧状に延びる髭片１０８ａを備え、髭片１０８８ａの先端部が凹弧部１０８ｂとなって隣接する掛止具１０２の髭片１０８ａに連続し、各掛止具１０２…の先部間を凹弧状の連結片１０８で相互に連結する。
　【
００５３
　連結片１０８は、規制部１０４に近い部分が肉厚で、離れるに従って順次薄肉となり、従って、掛止具単体１０２…の先部相互間を連結する連結片１０８は、中間部の凹弧部１０８ｂが薄肉で、切断し易い脆弱部を構成し、このように凹弧状の連結片１０８は、両端部髭部１０８ａ，１０８ａと中間部の凹弧状部１０８ｂとを備え、連結片１０８で掛止具１０２…の先部相互を連結する。
　【
００５４
　以上の連結片１０８は、並設された掛止具単体１０２…の各両側に備え、掛止具単体１０２…相互間を連結し、連結片１０８は並設された掛止具単体１０２…の各部と全一体に成形し、掛止具と同素材で形成され、薄肉に形成することで可撓性を保たせている。
　以上の連結片１０８は、先部の規制部１０４の下部から左右にスカート状に髭部が下方、且つ側方に弧状となるように設けたが、挿入部１０３の基部両側から側方、且つ下方に弧状に設けても良い。
　【
００５５
　一方、掛止具単体１０２…の軸部１０５の後部規制部１０７の側部間を薄肉の可撓性の後部連結片１０７で相互に連結し、後部連結片１０７は、先部と異なって略々水平の薄いリボン状等に形成し、後部連結片１０７も掛止具単体１０２…の各部と同素材で形成し、薄肉に形成することで可撓性と切断が容易な脆弱性を保たせる。
　【
００５６
　以上のように掛止具単体１０２…は、極めて多数並設し、各掛止具単体１０２…は、先部、及び後部を薄肉の連結片１０８，１０９で相互に連結し、図２１に示すように、軸部１０５の軸方向の直交する方向に連結片１０８，１０９で相互に連結して帯状掛止具１０１を構成する。
　図２１は帯状掛止具１０１の左側端部の掛止具単体Ａが始点で、右方向に極めて多数の掛止具単体１０２…が連結片１０８，１０９で連結されて帯状掛止具１０１を構成し、図２１の右端部で表れた掛止具単体Ｂの右側に連続する掛止具単体を省略した。
　【
００５７
　以上の帯状掛止具１０１は、極めて長い帯状に形成し、帯状掛止具１０１の掛止具単体１０２が並設する方向を連続させて長尺に形成し、図２４に示すように長尺の帯状掛止具１０１を巻回して帯ロール状の掛止具１１０を得る。
　帯ロール状の掛止具１１０は、渦巻き状に巻回した図２４の状態で搬送し、収納、ストックし、従って、例えば、図２５のように上下にディスク１１１ａ，１１１ｂを備えるリール１１１に帯ロール状掛止具１１０を巻回してストックしたり、搬送することができる。
　【
００５８
　図２３は掛止具単体１０２を帯状掛止具１０１からその一本を切り離して単体として示したものである。
　掛止具単体１０２は、先端部に尖鋭な銛状の挿入部１０３を備え、挿入部１０３の後部には軸部１０５と同径の先部規制部４を備える。
　先部規制部１０４は、前記した連結片１０８の基部が「ハ」字型状に後方に拡開して規制部１０４を構成し、切り離した左右の連結片１０８，１０８の両端部は軸方向後方、及び外側方に弯曲し、先細りの先部規制部１０４の両側先部１０４ａ，１０４ａを構成する。
　【
００５９
　左右の連結片１０８，１０８を切り離して形成した余片である先部規制部１０４の両側先部１０４ａ，１０４ａは、軸部周方向に撓曲した際、軸部１０５の先部に形成した先細り部１０６の両側と重なり、軸部１０５の外径と略々同径となるように構成し、両側先部１０４ａ，１０４ａの肉厚分を先細り部１０６の軸径の減少で略々吸収するように構成した。
　又軸部１０５の後部規制部１０７の両側の連結片１０９，１０９を切り離した残余片１０９ａ，１０９ａは、掛止具単体２の機能上支障が無いので、そのまま残留させる。
　【
００６０
　次に参考例に係る掛止具を用いた、各掛止具単体の帆立貝、ロープへの自動装填を説明する。
　図２６〜図３０は、自動装填装置１２０によりロール帯状掛止具１１０から掛止具単体を自動的に切り離し、切り離した掛止具単体を自動装填する状態を示し、図２６は全体を示す説明的な斜視図である。
　【
００６１
　図２６において、前記した図２４で説明したように、帯状掛止具１０１をロール状に巻回して帯ロール状掛止具１１０とし、巻回した帯ロール状掛止具１１０の先部を引出して自動装填装置１２０にセットする。この状態を図２７及び図２８で示した。
　【
００６２
　自動装填装置１２０は、全形が軸方向を縦向きとしたドラム状で、図示しないモータ等で各掛止具１０２ピッチ相当分回転するように構成されていおり、ドラム状部分の円周方向に間隔を開けて設けられた縦向きの複数の中間ガイド部１２１…を備え、ガイド部１２１の下端部はＶ型のカッター部１２２を夫々備える。
　【
００６３
　中間ガイド部１２１…は、軸方向長く、掛止具単体２の軸部５よりも若干長い程度に設定し、各中間ガイド部１２１…間には、帯状掛止具１０１の各掛止具１０２…を縦向きで遊合する隙間１２３…を備える。
　又各中間ガイド部１２１…の下方には、軸線を同一とした下部ガイド１２４…を備え、各下部ガイド１２４…上端部と中間ガイド部１２１…の下端部間には掛止具単体１０２の後部連結片１０９を遊合する隙間１２５…を備え、且つ各下部ガイド１２４…間には、掛止具単体１０２の後部規制部を遊合する隙間１２６を備える。
　【
００６４
　又中間ガイド部１２１…の上方には上部ガイド部１２７…を備え、上部ガイド部１２７…の下端部にはＶ型のカッター部１２８を夫々備える。
　上部ガイド部１２７…と下端部と中間ガイド部１２１…間には隙間１２９を設け、該ガイド部１２７…間には隙間１３０を設ける。
　【
００６５
　以上の自動装填装置１２０の上方にはセット板１３１を備え、セット板１３１は、中間位置に切り離した掛止具１０２の上方への移動を許容する隙間１３２を備え、図示例では隙間１３２は、セット板１３１の中間位置に設けた上方への起壁１３１ａ，１３１ａ間に形成した。
　【
００６６
　一方、上記したセット板１３１の隙間１３２の直下で、自動装填装置１２０の下方には、該隙間１３２と軸線を一致させるようにプッシュロッド１３３を上下動自在に設ける。
　又隙間１３２の上方には、穿孔用のドリル１３４を上下動自在に設け、図２６はプッシュロッド１３３を下降させ、ドリル１３４を上昇させた状態の装填作業前の状態を示す。
　図２７は、このような状態下の自動装填装置１２０を拡大し、正面から見た状態を表した。
　【
００６７
　以上において、自動装填装置１２０の外周に設けられた縦方向に繋がる各ガイド１２１…，１２４…，１２７…間の隙間１２３…，１２５…，１３０…に帯ロール状掛止具１１０を解いた帯状掛止具１０１の各掛止具１０２…の軸部１０５、挿入部１０３、先部規制部１０４、後部規制部１０７が遊合し、先部連結片１０８は横方向の上部隙間１２９間に遊合し、後部連結片１０９は横方向の下部隙間１２６間に遊合する。
　【
００６８
　複数の掛止具単体１０２…は、図２６、図２７に示すように隣接する隙間１２３…，１２５…，１３０…に軸部１０５…を遊合した状態で保持され、自動装填装置１２０の回転で、掛止具１０２の軸部１０５が１ピッチ分送られ、掛止具単体１０２…は帯ロール状掛止具１１０を順次解いて自動装填装置に供給される。
　【
００６９
　前記したセット板１３１の対向する起壁１３１ａ，１３１ａの上端部上に、上下に帆立貝１４０，１４０を寝かせた状態で上下に離して配置する。
　帆立貝１４０，１４０は、耳部１４１，１４１を上下に重なるように向かい合せて配置し、耳部１４１，１４１間にロープ１４２を臨ませ、各帆立貝１４０，１４０は、支持治具１４３，１４３で挟持する。この状態を図２６、図２７で示した。
　【
００７０
　次にドリル１３４を回転させて下降し、上の帆立貝１４０の耳部１４１、ロープ１４２、下の帆立貝１４０の耳部１４１の順で孔１４１ａ，１４２ａを穿設する。
　この状態を図２８で示し、このように孔１４１ａ，１４２ａ，１４１ａを同心的にドリル３４で穿設する。孔１４１ａ，１４２ａ，１４１ａの穿設後、図２９のようにドリル１３４を上昇させる。
　【
００７１
　これと併せてプッシュロッド１３３を上昇させる。プッシュロッド１３３の上昇で、真上の掛止具１０２の軸部１０５は下から上方に押上げられ、掛止具単体１０２は隙間１２３，１２５，１３０内を上昇する。
　掛止具単体１０２の軸部１０５の上昇で、先部連結片１０８、後部連結片１０９の夫々は、夫々上方に位置するカッター１２８，１２２に臨み、上昇の継続で連結片１０８，１０９は、カッター１２８，１２２で切断され、掛止具単体１０２は他の掛止具単体１０２と切り離される。
　【
００７２
　この状態を図２９で示し、掛止具単体１０２の切り離し後、プッシュロッド１３３の上昇を継続し、これに伴って切り離された掛止具単体１０２は上昇を継続する。掛止具単体１０２の上昇で、先鋭な挿入部１０３は、上方に位置する下位の帆立貝１４０の耳部１４１の孔１４１ａ、この上のロープ１４２の孔１４２ａ、上位の帆立貝１４０の耳部１４１の孔１４１ａを通り、掛止具単体１０２は帆立貝１４０、ロープ１４２、帆立貝１４０を掛止することとなる。
　【
００７３
　掛止具単体１０２の孔１４１ａ，１４２ａ，１４１ａへの挿入は、切り離された連結片で構成した前記先部規制部１０４の両側先部１０４ａ，１０４ａが可撓性を有し、且つ軸部先部が先細り部１０６を有するので、両側先部１０４ａ，１０４ａが先細り部１０６周に重なり、挿入部１０３、規制部１０４の孔１４１ａ，１４２ａ，１４１ａへの挿入は円滑になされる。
　掛止具単体１０２でロープ１４２に帆立貝１４０，１４０を掛止した状態を図３０で示した。
　【
００７４
　帆立貝１４０、ロープ１４２、帆立貝１４０の孔１４１ａ，１４２ａ，１４１ａを通った掛止具単体１０２は、先部の規制部１０４が両側の連結片１０８の残留部である両側先部１０４ａ，１０４ａが、図３０で示したように広がるので、これを引き抜こうとした場合、この部分が抵抗部となって掛止具１０２から引き抜かれることを防止し、一方、後部規制部１０７は孔１４１ａよりも充分に大径なので、帆立貝１４０が掛止具単体１０２から引き抜かれることを防止することができる。
　【
００７５
　爾後、プッシュロッド１３３を下降して自動装填装置１２０の下位に臨ませ、自動装填装置１２０を１ピッチ回転させ、又ロープ１４２を所定ピッチ移動させ、帆立貝耳部を上下に配置し、ドリル１３４の穿孔、プッシュロッド１３３の上昇を行なわせて上記と同様の自動装填作業を行なわせ、以上を反復する。
　以上により長尺なロープの長さ方向に所定ピッチ離し、ロープの両側に帆立貝を掛止具で掛止する。掛止後、前記図３２で説明したようにロープを縦にして海中に浸漬し、帆立貝の養殖を行なう。
　【
００７６
　以上は帯状ロール１１０を横向きに供給して掛止具単体１０２を自動装填装置１２０にセットし、掛止具単体１０２を切り離し、帆立貝１４０，１４０、ロープ１４２に刺通してこれ等三者を掛止する例を説明したが、図３１は帆立貝を直立（縦向き）させ、帯状ロール１１０を縦向きに供給して上記自動装填を行なうようにした例を示す。
　【
００７７
　帯状ロール１１０は、巻回したロール状の状態で水平軸２１１を支点として回転可能であり、繰出し可能に支持されている。
　下方に水平駆動軸２１２を支点として回転する自動装填装置２２０が配設され、自動装填装置２２０は横向きとしたガイド２２１…，２２…，２２３…を円周方向に隙間をもって軸方向に備え、ガイド２２１，２２２にはカッター部２２４，２２５を夫々備える。
　【
００７８
　自動装填装置２２０の軸方向の一方には支持板２２６を配置し、これの上面の中間部にはロープ４２を図３１の紙面表裏方向に配置し、これの左右には帆立貝１４０，１４０を縦向きに直立するように配置し、耳部１４１，１４１を支持板２２６上においてロープ１４２の左右に配置し、帆立貝１４０，１４０は押え板２２７，２２７で直立状態を保持する。
　【
００７９
　帆立貝１４０，１４０のセット位置２２８の外側には横向きにドリル２２９を配置し、ドリル２２９の矢印で示す往復動で帆立貝１４０，１４０の耳部１４１，１４１に穿孔し、併せてロープ１４２にも穿孔し、孔を破線で示した。
　自動装填装置２２０の前記ドリル２２９とは反対側にプッシュロッド２３０を配設する。
　【
００８０
　プッシュロッド２３０の矢印で示す軸２１２の軸線方向の移動で、掛止具単体１０２を図３１の左側方向に移動させ、該当する掛止具単体２を図の左側に移動させ、掛止具単体１０２はガイド２２１，２２のカッター部２２４，２２５で連結片１０８，１０９が切断されて切り離され、更に移動させることで帆立貝１４０、ロープ１４２、帆立貝１４０の孔に掛止具単体１０２は前記と同様に挿入され、掛止具１０２により、ロープ１４２の当該部位に帆立貝１４０，１４０は掛止、保持されることとなる。
　【
００８１
　このような自動装填装置の横向きレイアウトでも、帆立貝のロープへの掛止具単体による掛止、保持作業を行なうことができる。
　爾後は前記したと同様に、図３２のように海中にロープを投入して帆立貝の養殖を行なう。
　即ち、海中に浸漬して垂れ下げたロープ１４２には長さ方向離間して上下に掛止具単体１０２が多数掛止、保持され、掛止具単体１０２はロープ１４２に軸部１０５の中間部を貫通して保持され、先部規制部１０４の髭片１０４ａ，１０４ａ後方の軸部周に、一方の帆立貝１４０がその耳片１４１に設けた孔を介して掛止され、後部規制部１０７の手前の軸部周に、他方の帆立貝１４０がその耳片１４１に設けた孔を介して掛止され、帆立貝の養殖を行なう。
　【
００８２
　以上の自動装填装置１２０にセットするロール状の帯状掛止具を、本発明の各実施の形態のロール状の帯状掛止具１０，２０，３０，４０とし、上記した方法で各実施の形態に係る掛止具単体２…とロープ６０、帆立貝６１，６１の三者を自動作業として一体的に掛止させることができる。
　【
００８３
　【発明の効果】
　
本発明は上記構成により次の効果を発揮する。
　
請求項１は、可撓性樹脂で形成された棒状の軸部（３）の先部に、尖鋭な先部挿入部（４）及び抜け止め部を構成する規制片（４ａ）を備え、該軸部（３）の後部には尖鋭な後部挿入部（６）及び抜け止め部を構成する規制片（６ａ）を備え、軸部（３）の中間部周に、軸方向に離間してロープの抜け止め部（１８），（１９）を径方向外方に一対突設した養殖帆立貝の掛止具において、掛止具単体（２）を、該掛止具単体（２）の軸部（３）が平行するように多数並設し、ロープの抜け止め部（１８），（１９）の各先端部に小径の連結部（１８ａ），（１９ａ）を形成し、該小径の連結部（１８ａ），（１９ａ）を隣接する掛止具単体（２）の軸部（３）周に連結し、多数の掛止具単体（２）…を該抜け止め部（１８），（１９）の先端部の小径の連結部（１８ａ），（１９ａ）を介して相互に連結し、該抜け止め部（１８），（１９）の先端部の小径の連結部（１８ａ），（１９ａ）で該掛止具単体（２）と一体で容易に撓曲する可撓性連結片を構成し、多数の掛止具単体（２）…を前記可撓性連結片を構成する抜け止め部（１８），（１９）の先端部の小径の連結部（１８ａ），（１９ａ）により帯状に連結し、抜け止め部（１８），（１９）の先端部の小径の連結部（１８ａ），（１９ａ）からなる可撓性連結片で相互に連結した多数の掛止具単体で構成した帯状掛止具（１１）を、各可撓性連結片部分で曲げ、ロール帯状に巻回して帯状の掛止具ロール（２０）を構成することができるようにした。
　【
００８４
　
請求項１では、並設された掛止具単体（２）の先部、後部間をロープの抜け止め部（１８），（１９）の先端部の一体の小径の連結部（１８ａ），（１９ａ）で、隣接する掛止具単体（２）と連結する。この小径の連結部（１８ａ），（１９ａ）で、容易に曲げられる可撓性連結片を構成し、並設された掛止具単体（２）を連結するので、大量の掛止具単体（２）を、各軸部（３）が平行するようにして一体に、帯状に連結させることができ、連結片が可撓性を有するので、連結部（１８ａ），（１９ａ）を曲げて帯状掛止具（１１）をロール状にすることができるので、運搬、ストック上有利である。掛止具の軸部周に設けたロープの抜け止め部（１８），（１９）で掛止具のロープへの係止を確実に行なうことができ、抜け止めを確実に行なうことができる。
　
また、帯状の掛止具（１１）をロープ抜け止め部（１８），（１９）の先端部の一体の小径の連結部（１８ａ），（１９ａ）を可撓性連結片として曲げて帯状の掛止具ロール（２０）を構成することができるので、運搬、ストックに便利であり、自動装填機による自動装填を行なう上でも有利である。
　【
００８５
　
請求項２は、請求項１において、前記一対のロープの抜け止め部（１８），（１９）は、軸部（３）の径方向に同方向で、軸方向に互いに向い合う「ハ」の字型であり、その先端部の小径の連結部（１８ａ），（１９ａ）で隣接する掛止具単体（２）の軸部（３）周に連結した。
　【
００８６
　
請求項２では、掛止具の軸部（３）周に突設したロープの抜け止め部（１８），（１９）は「ハ」の字型なので、この間にロープを位置させることで抜け止め部（１８），（１９）でロープの抜け止めを確実に行なうことができる。
【図面の簡単な説明】
　【図１】
　本発明に係る帯状掛止具の一部の正面図
　【図２】
　図１の掛止具をロール状に巻回した説明的斜視図
　【図３】
　図１の一部の拡大図
　【図４】
　帯状掛止具から掛止具単体を切り離した状態を示す拡大斜視図
　【図５】
　ロープへの掛止具単体の掛止、掛止具単体への帆立貝の掛止状態を示し、片側の帆立貝を外して示した図
　【図６】
　図６〜図１０は、図１〜図５の掛止具の他の実施の形態を示す図で、図６は帯状掛止具の一部の正面図
　【図７】
　図６の掛止具をロール状に巻回した説明的斜視図
　【図８】
　図６の一部の拡大図
　【図９】
　掛止具単体を切り離した状態の拡大斜視図
　【図１０】
　ロープへの掛止具単体の掛止、掛止具単体への帆立貝の掛止状態を示す図
　【図１１】
　図１１〜図１５は、図１〜図５の掛止具の他の実施の形態を示す図で、図６〜図９の変更された実施の形態を示す図で、図１１は帯状掛止具の一部の正面図
　【図１２】
　図１１の掛止具をロール状に巻回した説明的斜視図
　【図１３】
　図１１の一部の拡大図
　【図１４】
　掛止具単体を切り離した状態の拡大図
　【図１５】
　ロープへの掛止具単体の掛止、掛止具単体への帆立貝の掛止状態を示し、片側の帆立貝を外して示した図
　【図１６】
　図１０〜図１５の変更された実施の形態を示す図で、図１６は帯状掛止具の一部の正面図
　【図１７】
　図１６の掛止具をロール状に巻回した説明的斜視図
　【図１８】
　図１６の一部の拡大図
　【図１９】
　掛止具単体を切り離した状態の拡大斜視図
　【図２０】
　ロープへの掛止具単体の掛止、掛止具単体への帆立貝の掛止状態を示し、片側の帆立貝を外して示した図
　【図２１】
　参考例の帯状掛止具の一部の正面図
　【図２２】
　図２１の一部の拡大図
　【図２３】
　帯状掛止具から掛止具単体を分離した状態の斜視図
　【図２４】
　帯状掛止具をロール状に巻回した状態の斜視図
　【図２５】
　ロール状掛止具をカートリッジに巻回、装着した状態の斜視図
　【図２６】
　掛止具の帆立貝、ロープへの自動装填状態を示す説明的斜視図
　【図２７】
　自動装填状態の装填部分の説明的縦断面図で、帆立貝、ロープへの孔開け直前の図
　【図２８】
　帆立貝、ロープへの孔開け状態を示す図
　【図２９】
　孔開け後、掛止具単体を上昇させて先部、後部の可撓性連結片を切断して分離する状態を示す説明図
　【図３０】
　掛止具単体を帆立貝、ロープの孔部に挿入した状態を示す説明図
　【図３１】
　掛止具の帆立貝、ロープへの自動装填状態の他の例を示す説明的斜視図
　【図３２】
　帆立貝養殖の状態を示す説明図
　【図３３】
　掛止具で帆立貝を係止してロープに装着し、帆立貝養殖を行なう説明図
　【図３４】
　従来に掛止具の正面図
　【符号の説明】
　１，１１，２１，４１…帯状掛止具、　２…掛止具単体、　３…軸部、　４，６…尖鋭な挿入部、　４ａ，６ａ…規制部、　８，９，１８，１９，２８，２９，４８，４９…可撓性連結片、　１０，２０，３０，５０…ロール状掛止具、３１，３２，５１，５２…ロープ抜け止め部。